(57)【要約】  １又はそれ以上の流体作動発電ユニットを備えて電気エネルギを発生させる動力装置が提供されている。各発電ユニットは、流体の流れに応答して１又はそれ以上の磁石及び導電材料に接続される１又はそれ以上の回転部材を有している。同様に、各発電ユニットが、電気エネルギを貯蔵又は利用するために使用されるバッテリ又は電力網にそれぞれ電気的に接続されている。動力装置の運動を初期化及び維持するのに連続量の電気エネルギを要する。発電ユニットの回転部材は、流体の流れに曝されているため、流体の流れにより回転部材が回転する。このような回転により、磁石が導電材料のそばを通過して電気エネルギを発生させる。連続的な運動に応じて、発電ユニットが、流体の流れを介して電気エネルギを発生する。発生した電気エネルギは、電力貯蔵装置に貯蔵され、又は電力網に送られる。【選択図】図１
2010525217.tif 000002
【特許請求の範囲】
【請求項１】
近位端及び遠位端を有する垂直支持部材であって、前記近位端が平らな架台に固定された垂直支持部材と；
近位端及び遠位端を有する回転部品であって、前記回転部品の前記近位端が前記垂直支持部材の前記遠位端に取り付けられており、前記回転部品が前記垂直支持部材の軸を中心として回転するよう構成された回転部品と；
遠位端及び前記回転部品に接続される近位端を有する結合部品であって、前記遠位端が、流体流れにさらされることで電気エネルギを発生するよう構成された流体応答発電機ユニットに接続される結合部品と；
モータに接続されて前記回転部品の回転運動を開始及び保持する前記発電機ユニットの外部のエネルギと；
最初の前記回転運動によって生成される流体流れとを具え、
前記発電機ユニットが、前記生成される流体流れに前記発電機ユニットをさらすことによって電気エネルギを発生させることを特徴とする装置。
【請求項２】
発生した前記電気エネルギが、前記結合部品を通して電気エネルギ貯蔵装置に送られることを特徴とする請求項１に記載の装置。
【請求項３】
さらに、前記流体流れに前記発電機ユニットをさらすことによって発生した電気エネルギを具えており、
前記発生した電気エネルギが、前記電気エネルギ貯蔵装置から離れた外部の電力貯蔵装置に送られることを特徴とする請求項２に記載の装置。
【請求項４】
さらに、少なくとも２つの前記発電ユニットを収容する筐体を具えており、
前記筐体が、前記結合部品及びそれぞれの前記発電ユニットに機械的及び電気的に接続されていることを特徴とする請求項１に記載の装置。
【請求項５】
さらに、前記回転部品から前記筐体までの前記結合部品の長さを制御するための調整機構を具えていることを特徴とする請求項４に記載の装置。
【請求項６】
前記回転部品の前記最初の回転運動により、停止位置から持上位置に前記発電機ユニットを持ち上げることを特徴とする請求項１に記載の装置。
【請求項７】
さらに、前記回転部品の速度に関する前記発電機ユニットの垂直方向の持ち上がりの変化を具えていることを特徴とする請求項６に記載の装置。
【請求項８】
さらに、前記回転部品に接続される第１の中心部材を具えており、
前記第１の中心部材が、前記回転部品が周りを移動する軸を有していることを特徴とする請求項１に記載の装置。
【請求項９】
前記第１の中心部材が、軸を中心として前記回転部品を回すためのギヤであることを特徴とする請求項８に記載の装置。
【請求項１０】
さらに、前記ギヤ及び前記回転部品に接続され、前記ギヤの運動を前記回転部品の運動に移すエネルギ移送システムを具えていることを特徴とする請求項９に記載の装置。
【請求項１１】
前記結合部品が、スリップリングであることを特徴とする請求項１に記載の装置。
【請求項１２】
近位端及び遠位端を有する第１の垂直支持部材であって、前記近位端が平らな架台に固定され、静止させるための第１の垂直支持部材と；
近位端及び遠位端を有する第２の垂直支持部材であって、前記近位端が前記第１の垂直支持部材の前記遠位端に接続される第２の垂直支持部材と；
近位端及び遠位端を有する回転部品であって、前記回転部品の前記近位端が前記第２の垂直支持部材に取り付けられており、前記回転部品が前記第２の垂直支持部材の軸を中心として回転するよう構成された回転部品と；
前記回転部品の回転とともにその垂直軸を中心として回転する前記第２の垂直支持部材と；
第１の流体応答発電機ユニットを収容する第１の筐体であって、前記筐体が前記回転部品の遠位端に取り付けられた第１の筐体と；
モータに接続されて前記回転部品の回転運動を発生させる前記発電機ユニットの外部のエネルギと；
最初の回転運動によって生成される流体流れと；
前記流体流れに前記第１の発電機ユニットをさらすことによって、前記生成される流体流れを電気エネルギに変換する前記流体応答発電機ユニットと；
を具えていることを特徴とする装置。
【請求項１３】
さらに、外部の場所に伝送される前記電気エネルギを具えていることを特徴とする請求項１２に記載の装置。
【請求項１４】
前記外部の場所が、電力貯蔵ユニット及び電力網から成る群から選択されることを特徴とする請求項１３に記載の装置。
【請求項１５】
さらに、前記第１の筐体の前記発電機ユニットによって発生する電気エネルギを静止した電力貯蔵装置に伝えるための電気結合部品を具えていることを特徴とする請求項１４に記載の装置。
【請求項１６】
さらに、前記回転部品の内側部分に前記回転部品の前記遠位端から前記回転部品の前記近位端に延びる開口部を具えており、
前記内側部分が、前記発電機ユニットに関する電気エネルギを伝送するための前記電気結合部品を受容することを特徴とする請求項１５に記載の装置。
【請求項１７】
さらに、近位端及び遠位端を有する第２の支持を具えており、
前記第２の支持の前記近位端が、前記第２の垂直支持部材の前記遠位端に結合されており、
前記第２の支持の前記遠位端が、前記回転部品の前記遠位端に結合されていることを特徴とする請求項１５に記載の装置。
【請求項１８】
さらに、前記第２の支持の内側部分に前記近位端から前記遠位端に延びる開口部を具えており、
前記開口部が、前記第１の筐体及び電力貯蔵装置間で電気エネルギを伝えるための電気結合部品を受容するよう構成されていることを特徴とする請求項１７に記載の装置。
【請求項１９】
前記第１の筐体が、複数の発電機ユニットを収容することを特徴とする請求項１２に記載の装置。
【請求項２０】
さらに、前記第１の筐体に収容された第２の発電機ユニットに隣接して前記第１の筐体に収容された第１の発電機ユニットを具えており、
前記第１の発電機ユニットが、第１の回転方向に回転するよう構成された第１の回転部品を有しており、
前記第２の発電機ユニットが、第２の回転方向に回転するよう構成された第２の回転部品を有しており、
前記第１及び第２の回転方向が異なることを特徴とする請求項１９に記載の装置。
【請求項２１】
さらに、前記回転部品の前記遠位端の近位に配置された複数の第２の筐体を具えており、
前記第２の筐体が、前記第１の筐体、前記回転部品の遠位端、及びそれらの組み合わせから成る群から選択される部品に固定されていることを特徴とする請求項１２に記載の装置。
【請求項２２】
さらに、近位端及び遠位端を有する第３の垂直支持部材を具えており、
前記近位端が前記第２の垂直支持部材の前記遠位端に接続され、前記遠位端が第４の垂直支持部材の近位端に接続され、第２の回転部品が近位端及び遠位端を有しており、前記回転部品の前記近位端が前記第４の垂直支持部材に取り付けられており、前記第２の回転部品が前記第４の垂直支持部材の軸を中心として回転するよう構成され、第２の筐体が発電機ユニットを収容し、前記筐体が前記第２の回転部品の遠位端に取り付けられており、電気エネルギが、前記第２の筐体の中に収容された前記発電機ユニットを前記流体流れにさらすことによって発生することを特徴とする請求項１２に記載の装置。
【請求項２３】
さらに、第４の垂直支持部材及び第３の垂直支持部材間に配置され、前記第４の垂直支持部材の回転から前記第３の垂直支持部材に電力を伝える第２のスリップリングを具えていることを特徴とする請求項２１に記載の装置。
【請求項２４】
さらに、前記第１及び第２の垂直支持部材間に配置され、前記第２の垂直支持部材の回転から前記第１の垂直支持部材に電力を伝える第１のスリップリングを具えていることを特徴とする請求項１２に記載の装置。
【発明の詳細な説明】
【技術分野】
【０００１】
関連出願の相互参照
本出願は、２００７年４月１７日に出願され「Ｆｌｕｉｄ  Ｐｏｗｅｒｅｄ  Ｅｎｅｒｇｙ  Ｇｅｎｅｒａｔｏｒ」と題される米国仮特許出願番号６０／９１２，２３１の出願日の利益を主張する非仮出願である特許出願である。
【０００２】
本発明は、機械源から電気エネルギを発生させるための装置及び方法に関する。特に本発明は、流体源から電気エネルギを発生させ電力源として電気エネルギを獲得する。
【背景技術】
【０００３】
化石燃料は、主として石炭、石油、及び天然ガスの形式の炭化水素である。これらの燃料は、何千年にもわたって死滅した動植物の残骸から形成される。化石燃料から得られる燃料の供給は限りがある。需要と供給の経済的原理が、炭化水素の供給が減少すると供給コストが増大することを示唆している。したがって、経済の法則に基づいて代替的なエネルギ燃料を探し出す動機付けがある。
【０００４】
化石燃料の燃焼が、窒素酸化物、二酸化硫黄、及び重金属といった大気汚染を発生することが当技術分野で知られている。さらに、化石燃料の燃焼は、ウラン及びトリウムといった形式の放射性物質を発生することが知られている。環境規制が、放出を制限するための様々なアプローチを用いている。しかしながら、最良の解決法は、化石燃料の燃焼を軽減又は無くす代替的なエネルギ源である。
【０００５】
精製したガソリンの形式の化石燃料は、従来の陸上の乗物及び動力装置に電力を供給するよう使用される。近年、化石燃料を要しない住宅及び商業的な消費者にエネルギを供給するための、又は動力装置を作動させるのに要する化石燃料の量を少なくとも軽減するための動力装置の形成の研究及び開発がなされている。例えば、マサチューセッツ州のコッド岬の近くの海岸線では、多数の風車を設置し海における自然の風の流れを使用して風の流れを電気エネルギに変換することを意図する風力エネルギ農場が有る。風の農場の完成によりコッド岬に必要な電気エネルギの約４分の３を供給し得ることが見積もられている。このような地理的地域は、その地域の存在する自然の風の流れにより、風の農場の設置の標的となっている。しかしながら、このような地域は、住居から風の農場が見えて欲しくない主に富裕層が頻繁に訪れる休暇を過ごすリゾート地に隣接しているため、このような地域における風の農場の設置に反対がある。したがって、流体流れを利用して住宅及び商業的な消費者に供給し得るが、自然な風の流れに基づく地理的場所に制限されないクリーンな電気エネルギを発生させる技術の必要性がある。
【発明の概要】
【０００６】
本発明は、機械的なエネルギから電気エネルギを発生させるための装置及び方法に関する。
【０００７】
本発明の一態様では、装置に近位端及び遠位端を有する垂直支持部材が設けられている。近位端は、架台に固定されている。回転部品に、近位端及び遠位端が設けられており、回転部品の近位端が垂直支持部材の遠位端に取り付けられている。回転部品は、垂直支持部材の軸を中心として回転するよう構成されている。結合部品に遠位端及び近位端が設けられている。近位端が回転部品に接続されており、遠位端が発電ユニットに接続されている。モータに接続される外部エネルギを使用して、回転部品の回転運動を開始する。最初の回転運動によって流体流れを生成し、発電ユニットを流体流れにさらすことによって電気エネルギを発生させる。
【０００８】
本発明の別の態様では、装置に近位端及び遠位端を有する第１の垂直支持部材が設けられている。近位端が架台に固定されている。第１の垂直支持部材は静止したままである。第２の垂直支持部材に近位端及び遠位端が設けられている。近位端が、第１の垂直支持部材の遠位端に接続されている。回転部品に近位端及び遠位端が設けられている。回転部品の近位端が第２の垂直支持部材に設けられており、回転部品が第２の垂直支持部材の軸を中心として回転するよう構成されている。第２の垂直支持部材が、回転部品の回転とともにその垂直軸を中心として回転する。第１の筐体が第１の発電ユニットを収容するよう設けられている。筐体は、回転部品の遠位端に取り付けられている。モータに接続される外部エネルギを利用して、回転部品の回転運動を与える。最初の回転運動によって流体流れを生成し、流体流れに第１の発電ユニットをさらすことによって電気エネルギを発生させる。
【０００９】
添付図面とともに本発明の好適な実施例の以下の詳細な説明から本発明の他の態様及び利点が明らかとなろう。
【図面の簡単な説明】
【００１０】
【図１】図１は、流体発電機を備えた動力装置の一実施例の立面図である。
【図２】図２は、流体作動発電機を備えた動力装置の別の実施例の立面図である。
【図３】図３は、図２の動力装置の側面図である。
【図４】図４は、図３の構造を逆にした動力装置の別の実施例の側面図である。
【図５】図５は、図２に示す動力装置の平面図である。
【図６】図６は、異なる大きさのロータ部材を備えた図４に示す動力装置の平面図である。
【図７】図７は、流体作動発電ユニットを備えた動力装置の別の実施例の側面図である。
【図８】図８は、動力装置に関連する制御システムのブロック図である。
【発明を実施するための形態】
【００１１】
［概説］
本発明は、流体流れ及びエネルギ源に基づいて電気を発生させるための装置及び方法に関する。流体流れの機械的エネルギから電気エネルギを発生させる動力装置が提供されている。動力装置は、モータ及び電気エネルギ貯蔵装置及び／又は電力網に接続される複数のタービンを備えて構成されている。タービンの運動は、動力装置に接続されるモータに与えられる外部のエネルギに基づいている。流体の環境で運動するようタービンが設置されると、流体によりタービンが回転する。タービンの回転要素が、磁石の存在により磁石の近くで導電材料に電気エネルギを発生させる。タービンが、流体流れの中の回転要素の運動を通して電気エネルギを発生させる。発生した電気エネルギは、バッテリ及び／又は外部の電気エネルギ貯蔵装置に貯蔵される。一実施例では、動力装置によって発生した電気エネルギを電力網に伝えてもよい。電力網に伝えられたエネルギは、そこで貯蔵するのではなく消費するために電力網に供給される。
【００１２】
［技術的詳細］
図１は、１又はそれ以上の発電ユニットを具えた動力装置（１００）の一実施例の立面図である。図示するように、動力装置（１００）は、垂直部材（１０２）と接続される複数の発電ユニット（１１４）、（１１６）、（１１８）、（１２４）、（１２６）、及び（１２８）を具えた中央垂直部材（１０２）を有している。特に、垂直部材（１０２）は、近位端（１０４）及び遠位端（１０６）を有している。垂直部材（１０２）の近位端（１０４）は静止しており、平らなプラットフォーム（１０８）に固定されている。垂直部材（１０２）の遠位端（１０６）は近位端（１０４）から離れており、以下で回転アームと称する回転するアーム（１１０）に接続されている。一実施例では、回転アームが、剛体又は柔軟な材料のいずれかの回転要素の形式である。したがって、硬い回転アームに本発明の範囲を限定すべきではない。回転アーム（１１０）は、作動の際に垂直部材（１０２）を中心として回転するよう構成されている。１又はそれ以上の結合部品（１２０）が、回転アーム（１１０）に設けられている。各結合部品（１２０）は、近位端（１２２）及び遠位端（１３２）を有している。結合部品（１２０）の近位端（１２２）は回転アーム（１１０）に接続されており、結合部品（１２０）の遠位端（１３２）は発電ユニット（１１４）−（１１８）及び（１２４）−（１２８）のうちの１つと接続されている。一実施例では、結合部品（１２０）の遠位端（１３２）が、１又はそれ以上の発電ユニットを収容するような大きさの筐体と接続されている。発電ユニット（１１４）−（１１８）及び（１２４）−（１２８）は、流体の流れに応じて電気エネルギを発生する発電機である。一実施例では、発電ユニット（１１４）−（１２８）が、１又はそれ以上の磁石に接続されて導電性の材料である１又はそれ以上のブレードを具えた一体化したユニットである。ブレードは、流体の流れに応じて軸を中心として回転する。一実施例では、磁石を代替的な材料に代えてもよく、導電材料に近接して設置された場合に代替的な材料が電気エネルギを生成する。
【００１３】
図１に示すように、動力装置（１００）の発電ユニット（１１４）−（１１８）及び（１２４）−（１２８）は上昇位置（１５０）にあることを示す。一実施例では、動力装置（１００）の発電ユニットは、動力装置（１００）が静止している場合（図示せず）に平らなプラットフォーム（１０８）に接続されるか又はこれに近接しており、図１に示すように動力装置（１００）を動作するよう使用する際に発電ユニットは平らなプラットフォーム（１０８）から上昇する。
【００１４】
図２は、図１に示すのと同様であるが発電ユニットの配置に関して変更した動力装置（２００）の立面図である。図示するように、動力装置（２００）は、垂直部材（２０２）と接続される複数の発電ユニット群（２１０）を備えた中央垂直部材（２０２）を有している。特に、垂直部材（２０２）は、近位端（２０４）及び遠位端（２０６）を有している。垂直部材（２０２）の近位端（２０４）は静止しており、平らなプラットフォーム（２０８）に固定されている。垂直部材（２０２）の遠位端は、近位端（２０４）から離れており、以下で回転アームと称する回転するアーム（２１０）に接続されている。回転アーム（２１０）は、作動の際に垂直部材（２０２）の軸を中心として回転するよう構成されている。１又はそれ以上の結合部品（２２０）が、回転アーム（２１０）に設けられている。各結合部品（２２０）は、近位端（２２２）及び遠位端（２３２）を有している。各結合部品の近位端（２２２）はロータアーム（２１０）に接続されており、結合部品（２２０）の遠位端（２３２）は第１の発電ユニット（２１４）、（２１６）、（２１８）、（２２４）、（２２６）、及び（２２８）のうちの１つと接続されている。各第１の発電ユニット（２１４）、（２１６）、（２１８）、（２２４）、（２２６）、及び（２２８）は、それらの近くに１又はそれ以上の第２のユニットを有している。特に、第１の発電ユニット（２１４）は、機械的及び／又は電気的に接続される第２のユニット（２１４ｂ）及び（２１４ｃ）を有している。同様に、第１の発電ユニット（２１６）は、第１のユニット（２１６）に機械的及び／又は電気的に接続される第２のユニット（２１６ｂ）及び（２１６ｃ）を有しており、第１の発電ユニット（２１８）は、第１のユニット（２１８）に機械的及び／又は電気的に接続される第２のユニット（２１８ｂ）及び（２１８ｃ）を有しており、第１の発電ユニット（２２４）は、第１のユニット（２２４）に機械的及び／又は電気的に接続される第２のユニット（２２４ｂ）及び（２２４ｃ）を有しており、第１の発電ユニット（２２６）は、第１のユニット（２２６）に機械的及び／又は電気的に接続される第２のユニット（２２６ｂ）及び（２２６ｃ）を有しており、第１の発電ユニット（２２８）は、第１のユニット（２２８）に機械的及び／又は電気的に接続される第２のユニット（２２８ｂ）及び（２２８ｃ）を有している。一実施例では、ロータアーム（１１０）への発電ユニットの直接的な電気的及び／又は機械的な結合が第１のユニットに限られており、第２のユニットは第１の発電ユニットへの直接的な電気的及び／又は機械的な結合を有している。同様に、一実施例では、結合部品（２２０）の遠位端（２３２）が、１又はそれ以上の発電ユニットを収容するような大きさの筐体と接続されている。したがって、１又はそれ以上の第１の発電ユニットに１又はそれ以上の第２の発電ユニットを取り付けることによって、動力装置の容積を増やす。
【００１５】
図３は、静止位置にある図１の動力装置（３００）の側面図である。図示するように、動力装置は、動力装置を作動させるための機器を収容する中央垂直部材（３０２）を有している。ここで図示する機器は、ポンプ（３０４）、モータ（３０６）、及び電気エネルギ貯蔵装置（３０８）を有している。しかしながら、特定の動力装置及び関連する要素に関する必要性に応じて機器を変更してもよい。一実施例では、ポンプの場所をギヤボックスに代えてもよい。同様に、一実施例では、カバー（図示せず）を採用して、モータ及びギヤボックスの組み合わせ又はモータ及びポンプの組み合わせを囲ってもよい。カバーにより、その中に収容される物品を外部の破片から保護し易くなる。さらに、カバーに１又はそれ以上のセンサを採用してその中への侵入を検出してもよい。ポンプ（３０４）及びモータ（３０６）の組み合わせ又はギヤボックス及びモータ（３０６）の組み合わせを採用して動力装置（３００）を作動させる。
【００１６】
中央垂直部材（３０２）は、一つの要素から成っている。一実施例では、中央垂直部材（３０２）が、発電動力ユニット（３００）への垂直な支持を具えたいくつかの垂直構造を有している。垂直部材（３０２）の近位端（３１２）は、静止しており平らなプラットフォーム（３１６）に固定されている。一実施例では、垂直部材（３０２）の近位端（３１２）が、１又はそれ以上のホイール（３１８）、及び１又はそれ以上のアンカー部材（３２０）に接続されている。アンカー部材（３２０）は、垂直部材（３０２）の近位端（３１２）に接続されており、垂直に配置されるよう構成されている。図３に示すように、アンカー部材（３２０）は静止しており水平なプラットフォーム（３１６）に接続されている。アンカー部材（３２０）の伸長により、動力装置（３００）の構造を静止したプラットフォーム（３１６）に対して昇降させることが可能である。２つのアンカー部材（３２０）のみをここで示すが、一実施例では、動力装置（３００）はもっと多くのアンカー部材（３２０）を有して静止位置に動力装置ユニット（３００）を固定してもよい。同様に一実施例では、動力装置ユニット（３００）は１つのアンカー部材（３２０）のみを有してもよく、ホイール（３１８）が回転して動力装置（３００）が変位するのを防止し得る。さらに、ここで示すように、２つのホイール（３１８）を有しており、各アンカー部材に隣接している。一実施例では、動力装置ユニット（３００）がさらなるホイール（３１８）を有しており、静止位置からの動力装置ユニット（３００）の動きを補助する。同様に、一実施例では、動力装置ユニット（３００）が１つのホイール（３１８）のみを要して、静止位置からの動力装置ユニット（３００）の運動をサポートする。
【００１７】
さらに、図３に示すように、各アンカー部材（３２０）が中央垂直部材（３０２）に入れ子式に取り付けられている。一実施例では、中央垂直部材が固定機構（図示せず）を有しており、中央垂直部材（３０２）に対する設定位置にアンカー部材（３００）を固定する。このような位置は、上昇位置、下降位置、又はそれらの間の任意の位置を有している。固定機構（図示せず）により、動力装置ユニット（３００）の高さを調整し得る。一実施例では、動力装置ユニット（３００）が、動作のための動力装置ユニット（３００）の設置に関する物理的な高さ制限を含む様々な理由により高さ調整を要する。したがって、動力装置ユニット（３００）の垂直方向の伸長及び高さを、アンカー部材（３２０）及び関連する固定機構（図示せず）の長さに基づいて変更する。
【００１８】
上述のように、一実施例における動力装置ユニット（３００）は、第１のポンプ（３０４ａ）、モータ（３０６）、電気エネルギ貯蔵装置（３０８）、第２のポンプ（３０４ｂ）、運動伝達部材（３４０）、及び１又はそれ以上の発電ユニット（３８０）から成っており、電気エネルギを発生させる。図示するように、中央垂直部材（３０２）は回転アーム（３５０）と接続されている。機構（３４０）は、エネルギを伝達して中央垂直部材（３０２）を中心とする回転アーム（３５０）の運動を促進するよう設けられている。一実施例では、図３に示すように、機構（３４０）が、中央垂直部材（３０２）の遠位端（３１０）の近くに取り付けられたギヤの形式である。同様に、一実施例では、ポンプ（３０４ａ）及び（３０４ｂ）が油圧ポンプであり、第１のポンプ（３０４ａ）から第２のポンプ（３０４ｂ）にホース（３３８）を介してギヤ（３４０）に油圧流体を与えることによって、ギヤ（３４０）の回転を補助する。第２のポンプは、シャフト（３４８）を介して機構（３４０）と接続されており、機構（３４０）に回転運動を与える。しかしながら、本発明は、ギヤ（３４０）を介した回転アーム（３５０）への回転力を与えるための油圧ポンプに限定すべきではない。一実施例では、回転アームの運動をもたらし得る機械的又は電気的装置を採用してよい。例えば、ベルトシステム又はダイレクトな駆動システムを使用してよい。このように、本発明の範囲は、回転アーム（３５０）に接続される油圧ポンプ及びモータに限定すべきではない。
【００１９】
ギヤ（３４０）は、後面側（３４４ａ）及び前面側（３４４ｂ）を有している。後面側（３４４ａ）は、垂直部材（３０２）の遠位端（３１０）の近くに取り付けられており、前面側（３４４ｂ）は、回転アーム（３５０）の近くに取り付けられている。同様に、回転アーム（３５０）の後面側（３５２）が、ギヤ（３４０）の前面側（３４４ｂ）に取り付けられており、回転アーム（３５０）の前面側（３５４）が、第２の垂直部材（３６０）及び１又はそれ以上の支持部材（３６２）に接続されている。回転アーム（３５０）は、第１の端部（３５６）及び第２の端部（３５８）を有している。回転アーム（３５０）の第１の端部（３５６）及び第２の端部（３５８）は、発電ユニット（３８０）に延びる結合部品（３７０）に接続されている。各発電ユニット（３８０）は電線（３８２）を有しており、電力貯蔵装置（３０８）又は電力網（図示せず）に電気エネルギを送る。図示するように、電線（３８２）は、発電ユニット（３８０）に接続される遠位端（３８４）及び電力貯蔵装置（３０８）に接続される近位端（３８６）を有している。貯蔵装置（３０８）から中央垂直部材（３０２）を介して第２の垂直部材（３６０）に延び、及び支持部材（３６２）を介して回転アーム（３５０）の第１の端部（３５６）に接続されるよう延びる電線（３８２）をここで示す。同様に、電線（３８２）が、貯蔵装置（３０８）から中央垂直部材（３０２）を介して第２の垂直部材（３６０）に延び、及び支持部材（３６２）を介して回転アーム（３５０）の第２の端部（３５８）に接続されるよう延びている。電線（３８２）は、発電ユニット（３８０）を電力貯蔵装置（３０８）に接続する。
【００２０】
一実施例では、電線（３８２）が発電ユニット（３８０）から貯蔵装置（３０８）への代替的な経路を辿る。図示するように、発電ユニット（３８０）と貯蔵装置（３０８）との間の電気的なインタフェースとしてスリップリング（３４２）を使用する。回転発電ユニット（３８０）からスリップリング（３４２）への電気的接続部が設けられている。１又はそれ以上の固定端子（３４２ａ）が設けられており、スリップリングに接触して回転発電ユニット（３８０）とシステム（３０８）の固定部分との間の電気伝送機構として機能する。スリップリング（３４２）を介して発電ユニット（３８０）及び貯蔵装置（３０８）間で電気エネルギを伝えるための電線をここで示す。一実施例では、発電ユニット（３８０）及び貯蔵装置（３０８）間でスリップリング（３４２）を介する代替的な接続部を使用してもよく、回転発電ユニット（３８０）及び固定電力貯蔵装置（３０８）間での電気エネルギのやり取り及び伝送をし易くする。したがって、スリップリング（３４２）及び固定端子（３４２ａ）を使用して、電力貯蔵装置（３０８）及び各発電ユニット（３８０）間の電気的接続を促進する。
【００２１】
各発電ユニット（３８０）を回転アーム（３５０）に固定するための結合部品（３８８）が設けられている。結合部品（３８８）は垂直方向の上昇を提供し、発電ユニット（３８０）を支持する。結合部品（３８８）は、発電ユニット（３８０）に接続される第１の端部（３９２）及び第２の垂直部材（３６０）に接続される第２の端部（３９４）を有している。一実施例では、発電ユニットが、発電ユニット（３８０）の異なるパーツに接続された２又はそれ以上の結合部品（３８８）を要し、適切な上昇を提供し発電ユニット（３８０）を支持する。発電ユニットの上昇及び支持を与えるのに要する結合部品の数は、発電ユニット（３８０）の大きさ及び重量、結合部品（３８８）の大きさ及び重量、及び回転アーム（３５０）、支持アーム（３６２）及び垂直部材（３０２）及び（３６２）の構成に依存している。同様に一実施例では、支持アーム（３６２）が、第２の垂直部材（３６０）から第１及び第２の端部（３５６）、（３５８）へのそれぞれ回転アーム（３５０）のコンジットとして機能する内側部分（３６４）を有しており、発電ユニット（３８０）及び電力貯蔵装置（３０８）、及び／又は結合部品（３８８）間の電線（３８２）でのやり取りが行われる。これは、外部要素に晒される結合部品（３８８）及び／又は電線（３８２）の露出を軽減する。さらに、支持アーム（３６２）の内側ハウジングにより、結合部品（３８８）及び電線（３８２）が、発電ユニット（３８０）の完全性及び性能に影響を及ぼす可能性のあるキンク又は他の障害を形成するのを防ぐ。
【００２２】
結合部品（３８８）及び電線（３８２）は、発電ユニット（３８０）及び垂直部材（３０２）及び（３６０）の一方又は双方に接続されている。一実施例では、回転電線移送システム（３９４）が、第２の垂直部材（３６０）と中央垂直部材（３０２）とのインタフェースに設けられている。電線移送システム（３９４）は、結合部品（３８８）の長さ及び電線（３８２）の長さを調整するための機構として機能する。一実施例では、制御システム（図示せず）が電線移送システム（３９４）に接続されており、回転アーム（３５０）の回転スピードに対するワイヤ（３８２）及び／又は結合部品（３８８）の位置及び／又は長さをダイナミックに調整する。ワイヤ（３８２）及び／又は結合部品（３８８）の長さを長くすることによって、すなわち、発電ユニット及び回転アーム間に距離を加えることによって、流体の流れが増加する。流体の流れが増加すると、流体の流れの経路にある発電機によって発生するエネルギが増加し易くなる。結合部品（３８８）及びワイヤ（３８２）の調整に関する制御システムの詳細を、図８に詳細に示す。
【００２３】
図１乃至図３で示すように、一実施例では、動力装置ユニット（３００）を作動させるモータ（３０６）及びポンプ（３０４）が、１又はそれ以上のアンカー部材（３２０）とともに配置されている。しかしながら、動力装置ユニット（３００）の構成を図２及び図３に示すものに限定すべきではない。図４は、図３に示す動力装置ユニット（３００）のいくつかの部材及び構造を共有する動力装置ユニット（４００）の代替的なレイアウト及び設置の正面図である。図示するように、動力装置ユニット（４００）は、モータ（４０６）に接続され第１の平面（４１０）に固定された第１のポンプ（４０４ａ）を有している。また、第１のポンプ（４０４ａ）は、第２のポンプ（４０４ｂ）と接続されている。一実施例では、ポンプ（４０４ａ）及び（４０４ｂ）及びモータ（４０６）を、第１の平面（４１０）に一緒に固定されるよう構成する。１又はそれ以上の固定部材（４０８）を使用して、第１の平面（４１０）にポンプ（４０４ａ）及びポンプ（４０４ｂ）及びモータ（４０６）を固定する。一実施例では、固定部材がフック、アンカー、又は代替的な機械的な取付部材の形式である。動力装置ユニット（４００）は図３のそれと同様である。しかしながら、動力装置の部材は、図３に示すように平面から上げるのとは対照的に、ここで示す部材を第１の平面（４１０）から下げる点で、逆になっている。
【００２４】
ここで、動力装置ユニット（４００）の部材を詳細に説明する。開口部（４１４）が、第１の平面（４１０）に設けられており、発電ユニット（４８０）からの電線（４９０）を受容する。開口部（４１６）を備えた第２の平面（４１２）が、第１の平面（４１０）に固定されている。第２の平面（４１２）の開口部（４１４）は、第１の平面（４１０）の開口部（４１４）に揃うよう設定されており、発電ユニット（４８０）及び電力貯蔵装置（図示せず）の間の電線を受けるのに適合している。第２の垂直延長部（４２０）が、第２の平面（４１０）に対して垂直又は略垂直な第２の平面（４１０）に固定されている。第２の垂直延長部（４２０）は、延長部（４２０）の長さ方向に延びるコンジット（４２６）を有している。コンジット（４２６）は、各平面の開口部（４０４）及び（４１４）と揃うような位置である。このような構成において、第２の垂直延長部（４２０）が第２の平面（４１２）とともに配置されると、近位端（４２２）が第２の平面（４１２）に近接し、遠位端がギヤ（４３０）の前面側（４３２）に近接する。ギヤ（４３０）の後面側（４３４）が、第１の垂直延長部（４４０）の近位端（４４２）に近接する。第１の垂直延長部（４４０）が、１又はそれ以上の支持アーム（４６０）及び１又はそれ以上の回転アーム（４７０）に接続される。各支持アーム（４６０）は、近位端（４６２）及び遠位端（４６４）を有している。近位端（４６２）は、第１の垂直延長部（４４０）の近位端（４４２）に近接して取り付けられている。一実施例では、１又はそれ以上の支持アーム（４６０）が、その中央部を通って延びるコンジット（４６６）を有しており、１又はそれ以上の発電ユニット（４８０）、１又はそれ以上の結合部品（４８８）に接続される１又はそれ以上の電線を受容し、回転アーム（４７０）に対して発電ユニット（４８０）を支持する。支持アーム（４６０）の遠位端（４６４）は回転アーム（４７０）に近接している。各回転アーム（４７０）は、第１の端部（４７２）及び第２の端部（４７４）を有している。一方の支持アーム（４６０）の遠位端（４６４）は、回転アーム（４７０）の第１の端部（４７２）に近接しており、別の支持アーム（４６０）の遠位端（４６４）が回転アーム（４７０）の第２の端部（４７４）に近接している。
【００２５】
１又はそれ以上の結合部品（４８８）が、支持アーム（４６０）を通って回転アーム（４７０）の各端部に延びている。開口部（４７６）が、回転アームの端部で支持アーム（４６０）が端部に近接するポイントに設けられている。回転アームの開口部（４７６）は、支持アーム（４６０）の遠位端（４６４）の開口部（４６８）と揃っており、１又はそれ以上の結合部品（４８８）及び１又はそれ以上の電線（４９０）の通路に適合するような大きさとなっている。図４に示すように、結合部品の遠位端（４８２）が発電ユニット（４８０）を支持し、電線（４９０）の遠位端（４９２）が発電ユニット（４８０）に接続されている。電線（４９０）の近位端（４９６）が、電力貯蔵装置（図示せず）に接続されている。したがって、発電ユニット（４８０）が電気エネルギを発生させると、電線（４９０）が電力貯蔵装置にエネルギを伝送する。
【００２６】
動力装置（３００）の構造にあるように、改良型動力装置（４００）が、１又はそれ以上のホース（４３６）を通して第２のポンプ（４０４ｂ）に接続される第１のポンプ（４０４ａ）を有している。第２のポンプ（４０４ｂ）はシャフト（４３８）を介して回転機構（４３０）に接続され、回転機構（４３０）に回転運動を与える。
【００２７】
図４の動力装置ユニット（４００）は、ギヤ（４３０）の前面側（４３２）を備えた第２の垂直延長部（４２０）のインタフェースで電線移送システム（４２８）を有している。電線移送システム（４２８）は、結合部品（４８８）及び電線（４９０）の位置を調整するための機構である。したがって、電線（４９０）及び結合部品（４８８）の双方が、電線移送システム（４２８）に接続されている。
【００２８】
図３及び図４の動力装置ユニット（３００）及び（４００）の主要な差異は、それぞれ逆のレイアウトであることである。どちらかの構造について、動力装置を積み重ねた環境に構成してもよい。特に、図４に示すように、第１の平面（４１０）が、前面（４７６）及び後面（４７８）を有している。ここに示すように、前面（４７６）が第２の平面（４１２）に接続されている。一実施例では、第２の主要面（図示せず）が、第１の平面（４１０）の後面（４７８）から間隔を空けており、別の動力装置に適合する。同様に、図３の動力装置（３００）が、垂直方向に積み重なった動力装置の構成を有しており、動力装置を作動させるのに要する十分な垂直方向の空間によって間隔を空けて配置してもよい。
【００２９】
図５は、図３の動力装置ユニット（５００）の平面図である。図示するように、１又はそれ以上の支持アーム（図示せず）及び１又はそれ以上の回転アーム（５２０）に接続される中央垂直延長部（４１０）を有している。各回転アーム（５２０）は、第１の端部（５２２）及び第２の端部（５２４）を有している。電線（５４０）及び結合部品（５４２）が、回転アーム（５２０）から各発電ユニット（５６０）に延びている。一実施例では、２つの別々の電線（５４０）及び／又は結合部品（５４２）が、各回転アーム（５２０）のそれぞれの端部から２つの隣接するが別々の発電ユニット（５６０）に延びている。このような実施例は、隣接する発電ユニット（５６０）間の分離とともに、各発電ユニット（５６０）に特別な垂直方向の支持及び持ち上げを与える。
【００３０】
図６は、図５の動力装置ユニット（５００）と比較して拡大された動力装置ユニットである動力装置ユニット（６００）の平面図である。図示するように、複数の回転アーム及び支持アーム（図示せず）に接続される中央垂直延長部（６１０）が設けられている。回転アームの２つのカテゴリーがある。回転アーム（６２０）の第１のカテゴリーは、中央垂直部材（６１０）に接続されており、長さが短い。各回転アーム（６２０）が、第１の端部（６２２）及び第２の端部（６２４）を有している。電線（６４０）及び結合部品（６４２）が、回転アーム（６２０）から各発電ユニット（６６０）に延びている。一実施例では、複数の電線（６４０）及び結合部品（６４２）が、各回転アーム（６２０）の各端部（６２２）、（６２４）から１又はそれ以上の発電ユニット（６６０）に延びている。これにより、隣接する発電ユニット（６６０）の分離とともに、各発電ユニット（６６０）に特別な垂直方向の支持を与える。回転アーム（６７０）の第２のカテゴリーは、中央垂直部材（６１０）と接続されており、第１のカテゴリーの回転アーム（６２０）よりも長い。各回転アーム（６７０）は、第１の端部（６７２）及び第２の端部（６７４）を有している。電線（６４０）及び結合部品（６４２）が、回転アーム（６７０）から各発電ユニット（６６０）に延びている。一実施例では、複数の電線（６４０）及び結合部品（６４２）が、各回転アーム（６７０）の各端部から１又はそれ以上の発電ユニット（６６０）に延びている。これにより、隣接する発電ユニット（６６０）の分離とともに、各発電ユニット（６６０）に特別な垂直方向の支持を与える。さらに、第２のカテゴリーの回転アーム（６７０）の長さが第１のカテゴリーの回転アーム（６２０）の長さとは異なるため、第１のカテゴリーの回転アーム（６２０）に接続される発電ユニット（６６０）は、第２のカテゴリーの回転アーム（６７０）に接続される発電ユニット（６６０）とは異なるウインドゾーンにある。したがって、異なるウインドゾーンに発電ユニットを設置することによって、各発電ユニットが大量の流体の流れを受ける。
【００３１】
上述の実施例は、１又はそれ以上の結合部品を使用して発電ユニットを回転アームに取り付ける動力装置である。図７は、回転アームから延びる結合部品の長さを減らし又は無くした動力装置ユニット（７００）の側面図である。上述の動力装置と同様な方法で、第１の垂直延長部材（７０２）が、近位端（７０４）及び遠位端（７０６）に設けられており、第２の垂直延長部材（７１０）が、近位端（７１２）及び遠位端（７１４）に設けられている。第１の垂直延長部材（７０２）の近位端（７０４）は、第１の平面（７０８）の上に載っている。第１の垂直延長部材（７０２）の遠位端（７０６）は、第２の垂直延長部材（７１０）の近位端（７１２）に接続されている。第１の垂直延長部材（７０２）は静止している一方、第２の垂直延長部材（７１０）は第１の垂直延長部材（７０２）の軸を中心として回転するよう構成される。一実施例では、第２の垂直延長部材（７１０）が、第１の垂直延長部材（７０２）よりも大きな外周を有している。
【００３２】
図示するように、１又はそれ以上の回転アーム（７２０）が、第２の垂直延長部材（７１０）に結合されている。各回転アーム（７２０）が、第１の端部（７２２）及び第２の端部（図示せず）を有している。第１の端部（７２２）は、近位端（７１２）の近くで第２の垂直延長部材（７１０）結合され、これに接続されている。第２の端部（図示せず）が第１の端部（７２２）から離れている。複数の流体作動発電ユニット（７３０）、（７４０）、（７５０）、（７６０）、及び（７７０）が、回転アーム（７２０）の第１の端部（７２２）に結合されており及び／又はこれに接続されている。一実施例では、発電ユニット（７３０）、（７４０）、及び（７６０）が、回転アーム（７２０）に直接的に結合されており、発電ユニット（７５０）及び（７７０）が回転アーム（７２０）に間接的に結合されている。例えば、発電ユニット（７５０）は、発電ユニット（７４０）及び／又は（７６０）に結合されるよう示され、発電ユニット（７７０）は、発電ユニット（７６０）及び／又は（７３０）に結合されるよう示される。
【００３３】
図示するように、１又はそれ以上のポンプ（７１４）及び１又はそれ以上のモータ（７１６）が、動力装置（７００）を作動させるよう設けられており、第１の平面（７０８）上に配置されている。同様に、別のポンプ（８１６）が、第１の垂直延長部材（７０２）に隣接して設けられている。１又はそれ以上の電線及びホース（７１８）が、モータ（７１６）及びポンプ（７１４）から延びている。一実施例では、ユニット及び電力需要に応じて、複数のポンプ及びモータを動力装置ユニット（７００）に設けてもよい。電線及びホース（７１８）は、第１の垂直延長部材（７０２）の中の近位端（７０４）の近くに延び、第１の垂直延長部材（７０２）の遠位端（７０６）に向かって延びて、さらに第１の垂直延長部材（７０２）の遠位端（７０６）に隣接して配置された第２のポンプ（７２４）に延びている。機構（７８０）が、エネルギを伝送して第１の垂直延長部材（７０２）の軸を中心とする回転アーム（７２０）の運動を促進するよう設けられている。ポンプ（７２４）が、ポンプ及びモータ（７１４）及び（７１６）から流体を受けて、シャフト（８１６）を介して機構（７８０）に運動を伝える。図７に示す一実施例では、機構（７８０）が、第１の垂直部材（７０２）の遠位端（７０６）に隣接して取り付けられたギヤの形式である。一実施例では、ポンプ（７１４）が油圧ポンプであり、ギヤ（７８０）に油圧流体を与えることによってギヤ（７８０）の回転を補助する。しかしながら本発明は、ギヤ（７８０）への回転力の伝達に関して油圧流体に限定すべきではない。
【００３４】
ギヤ（７８０）は、後面側（７８２）及び前面側（７８４）を有している。後面側（７８２）は、第１の垂直部材（７０２）の遠位端（７０６）の近くに取り付けられており、前面側（７８４）は第２の垂直延長部材（７１０）の近位端（７１２）の近くに取り付けられている。同様に、回転アーム（７２０）の後面側（７２４）が、ギヤ（７８０）の前面側（７８４）の近くに取り付けられており、回転アーム（７２０）の前面側（７２６）が、第２の垂直部材（７１０）及び１又はそれ以上の支持部材（７６２）に接続されている。各支持部材（７６２）は、第２の垂直延長部材（７１０）の遠位端（７１４）に接続される近位端（７６４）及び回転アーム（７２０）の第１の端部（７２２）に接続される遠位端（７６６）を有している。第２の垂直延長部材（７１０）の遠位端（７１４）は、回転電線移送システム（７９０）に隣接している。各発電ユニット（７３０）、（７４０）、（７５０）、（７６０）、及び（７７０）は、発電ユニットによって発生する電気エネルギを電力貯蔵装置（図示せず）又は電力網に伝送するための電線（７９２）を有している。図示するように、電線（７９２）は、実際には複数の電線であり、各電線が割り当てられた発電ユニットに接続される遠位端（７９４）及び電力貯蔵装置（図示せず）又は電力網に接続される近位端（図示せず）を有している。電線（７９２）は、記憶装置（図示せず）から中央垂直部材（７０２）を通して第２の垂直部材（７１０）に延びており、支持部材（７６２）を通して回転アーム（７２０）の第１の端部（７２２）に接続されている。電線（７９２）は、発電ユニット（７３０）〜（７７０）を電力貯蔵装置（図示せず）に接続する。一実施例では、電線（７９２）が発電ユニットから貯蔵装置（図示せず）への代替的な経路を辿る。同様に、ここでは発電ユニットと貯蔵装置との間で電気エネルギをやり取りするよう電線を示すが、一実施例では、電気エネルギのやり取り及び伝送をし易くする発電ユニットと貯蔵装置との間の代替的な結合を行ってもよい。したがって、電気接続が、電力貯蔵装置と各発電ユニット（７３０）、（７４０）、（７５０）、（７６０）、及び（７７０）との間に設けられている。
【００３５】
図７に示すように、第２の動力装置（８００）が動力装置（７００）に垂直方向に接続される。特に、垂直部材（８０２）に近位端（８０４）及び遠位端（８０６）が設けられている。近位端（８０４）は、第２の垂直延長部材（７１０）の遠位端（７２８）及び回転電線移送システム（７９０）に隣接しており、これに接続されている。電線及びホース（７１８）が、垂直部材（７０２）、（７１０）及び（８０２）を通ってポンプ（８２４）に延びている。ポンプ（８２４）は、ポンプ及びモータ（７１４）及び（７１６）からそれぞれ流体を受け、シャフト（８２６）を通して機構（８８０）に運動を伝える。機構（８８０）は、エネルギを伝えて、垂直部材（８０２）に隣接しこれに接続される垂直延長部材（８１０）の軸を中心とする回転アーム（８２０）の運動を促進する。同様に、第２の垂直部材（８１０）が垂直部材（８０２）に接続されるよう設けられており、回転アーム（８２０）及び１又はそれ以上の支持アーム（８６２）のための構造的な支持を与える。回転アーム（８２０）の一方の端部は、それに隣接するように取り付けられた１又はそれ以上の発電ユニット（８３０）、（８４０）、（８５０）、（８６０）、及び（８７０）を有している。各発電ユニットは、各発電ユニットから電気エネルギを伝えるための電線（８９２）を有している。一実施例では、発電ユニットが回転アーム（８２０）に直接的に接続されるか、又はユニット（７３０）、（７４０）、（７５０）、（７６０）、及び（７７０）と同じような方法でそれらを配置してもよい。電線（８９２）は、電気エネルギ貯蔵装置（図示せず）に接続されている。一実施例では、回転アーム（８２０）に接続されている発電ユニットが、同じ貯蔵装置又は回転アーム（７２０）に接続される発電ユニット以外の異なる貯蔵装置に接続される。同様に、一実施例では、垂直部材のさらなるセットを、垂直部材（８０２）及び（８１０）に接続されるよう設けて、動力装置（７００）の垂直延長部を延ばしてもよい。
【００３６】
上述のように、動力装置は、１又はそれ以上の流体応答発電機を有しており、流体の流れへの発電機の露出により電気エネルギを発生させる。図８は、発電ユニットに関連して使用され電気的な出力を監視及び管理する制御システムのブロック図（９００）である。各発電ユニットは、ユニットによって発生しユニットに接続され及び／又は電力網に接続されるバッテリに貯蔵される電気エネルギを探知するモニタを有している。ここで示す例は、回転アームに接続される４つの発電ユニット（９０２）、（９０４）、（９０６）、及び（９０８）を備えた動力装置用である。各ユニットは、ユニットによって発生する電気エネルギを探知するための電気モニタを有している。特に、ユニット（９０２）はエネルギモニタ（９１２）を有しており、ユニット（９０４）はエネルギモニタ（９１４）を有しており、ユニット（９０６）はエネルギモニタ（９１６）を有しており、ユニット（９０８）はエネルギモニタ（９１８）を有している。各エネルギモニタは、関連する発電ユニットの作動を管理する制御システム（９２０）に結合されている。特に、制御システムは、ユニット当たりの個々の電気的出力とともに、ユニット全体に関する総電気的出力を探知及び監視する。一実施例では、複数の発電機を収容する筐体を設けてもよく、１又はそれ以上のモニタを設けて筐体の中の個々の発電機の電気的出力を探知してもよく、及び／又は筐体ユニットの累積的な電気的出力を探知してもよい。ユニットのいずれか一方が理想的な電気エネルギ量よりも少ない量を発生していると判断される場合、すなわち、電気エネルギ出力の閾値に合致しない場合、このような情報が制御システムによって第三者又は第三者の装置（図示せず）に伝えられる。一実施例では、制御システムが出力装置に接続されている。１又はそれ以上のユニットが電気的出力の閾値レベルに達していないと判断される場合、出力装置が映像、音声、又は触覚信号を出力する。例えば、一実施例では、映像出力（９３２）、（９３４）、（９３６）、及び（９３８）が、各ユニット（９０２）、（９０４）、（９０６）、及び（９０８）にそれぞれ関連する。一実施例では、映像出力が、ユニットに直接取り付けられた、又は遠くの場所に配置されて特定のユニットを認識するＬＥＤである。ユニットのうちの一つが出力の閾値レベルに達していない場合、制御システムが適切なＬＥＤを点灯させてユニットに関する問題を伝える。同様に一実施例では、各ユニットが２以上のＬＥＤを有してもよく、各ＬＥＤが異なる点灯色又は同じ色を有している。異なる色のＬＥＤを点灯させて様々な制御データを伝えてもよく、様々な制御データを伝えるためにＬＥＤの１つのパターンを点灯又は点灯させなくてもよい。したがって、制御システムは、関連するユニットの作動を監視し、ユニットの作動データを伝える。
【００３７】
図８で説明した制御システムを、回転アーム及び発電ユニット間の電線及び／又は結合部品の長さを探知及び管理するためのモニタを含むよう外挿してもよい。特に、発電ユニット及び回転アーム間の距離は、発電ユニットの電気的エネルギの出力に影響を及ぼす。テザー（電線及び／又は結合部品）に長さを加えることによって、ユニットへの流体の流れを増加させてもよい。各オルタネータに接続されるようテザー（ｔｅｔｈｅｒ）モニタを設けてもよい。特に、ユニット（９０２）はテザーモニタ（９４２）を有しており、ユニット（９０４）はテザーモニタ（９４４）を有しており、ユニット（９０６）はテザーモニタ（９４６）を有しており、ユニット（９０８）はテザーモニタ（９４８）を有している。各テザーモニタは、関連する発電ユニット、及び／又は関連する画像表示の動作を管理する制御システム（９２０）に接続されている。特に、制御システムが、個々の電気的出力とともに、回転アームから各ユニットに延びるテザーの長さと併せてユニット全てについての総電気的出力を探知及び監視をする。したがって、発電ユニットの電気的なエネルギ出力を調整するために、動力装置の動作的な設定を修正するよう制御システムを使用してもよい。
【００３８】
図８に示すように、動力装置に接続される各ユニットの電気的出力を監視するよう及び／又は電気的出力を調整するために動力装置の初期設定を監視するよう制御ユニットを使用してもよい。さらに、上述のように、動力装置はモータを使用して回転アームに電力を供給する。一実施例では、制御システムが、１又はそれ以上のモニタを使用して回転アームのスピードを管理する。同様に、一実施例では、制御システムが１又はそれ以上のモニタを使用して、モータのスピードを管理する。したがって、制御システムを使用して、動力装置の様々な変更可能な態様の監視及び管理をしてもよい。
【００３９】
ここで示す各動力装置の実施例は、回転アームの運動及び回転アームに接続される関連する発電ユニットを初期化するためのエネルギ初期量を要する。エネルギ初期量は、モータがエネルギ源として受け入れるよう構成される機械的、電気的、バイオディーゼル、又は何らかのエネルギの形式である。同じような方法で、上述のモータを、電気的、機械的、バイオディーゼル、又は他の適切なエネルギ源の形式でエネルギを受けるよう構成してもよい。モータは、動力装置の回転アームの連続的な運動を与えるように、連続的な流れにおいてエネルギ入力を受け入れるよう構成されている。一実施例では、初期エネルギ入力がバイオディーゼルの形式でよく、それに続くエネルギ入力が代替的な形式でよい。
【００４０】
動力装置は、ウインドゾーンに依存するものではない。特に、自然なウインドゾーンが無い場合には、動力装置がそれ自身のウインドゾーンを形成することで、発生した機械的な流体の流れを電気的エネルギに変換することによって、エネルギの生成のための環境を形成する。したがって、どの場所にも配置し得る点で動力装置は用途が広い。
【００４１】
上記の各要素は、本発明の精神及び範囲から逸脱せずに、上述の型式とは異なる代替的な適用例又は構造で有用であることに留意されたい。特に、一実施例では、発電ユニットが直流電気を発電する。しかしながら、発電機を直流に限定すべきではない。一実施例では、発電ユニットが、交流電気を発電するオルタネータの形式でもよい。ここで説明する「発電機」という用語は、直流又は交流ユニットに関して相互に交換し得る。同様に、一実施例では、１つの材料を使用して結合部品及び電線の双方の機能を与える。これは、発電機及び電線移送システム間の不要なフィラメントを無くすことによって、動力装置の構造を簡略化する。発生した電気エネルギを、コンデンサ又は別の装置に電気エネルギを貯蔵又は伝送する性能を備えた他の装置を含むがこれに限定されない関連するバッテリ又は他の電力貯蔵装置に貯蔵してもよく、一体化したユニットに接続されるバッテリを最充填するよう使用してもよく、又は遠くの場所に電気エネルギを出力するよう使用してもよい。
【００４２】
同様に、回転アームに接続される１又はそれ以上の発電ユニットを備えたここで示す動力装置を示す。一実施例では、個別の発電ユニットを、中に１又はそれ以上の各発電ユニットを収容する筐体に置き換えてもよい。筐体の中の各発電ユニットは、回転要素、磁石、及び導電材料を備えたモジュール式の発電機部品でよい。回転アームの運動によって生じる筐体の回転は、発電ユニットの回転要素を流体の流れに晒し流体の流れを発生させる。１つの筐体の中に複数の発電ユニットを備えた一実施例では、隣接して取り付けられたユニットの回転要素が逆方向に回転して筐体の中の流体の流れを増やす。
【００４３】
磁石及び導電材料に関して、１又はそれ以上の磁石が発電機の回転要素とともに導電材料に隣接して回転することで、電気エネルギを発生する。一実施例では、代替的な材料を磁石に代えてもよく、導電材料の近くに置かれると代替的な材料が電気エネルギを発生する。
【００４４】
ここで説明した動力装置を、それ自身の流体流れを発生させる様々な環境で使用してよい。例えば、動力装置は、ビル又はガレージといった筐体の中の建物、又は動力装置に適した大きさの場所でよい。上述の要素は、流体応答発電ユニットに及ぼされる流体の力を利用して回転要素を回転させ得るような任意の適用例で有用である。流体の流れは、気流、水流、又は回転要素の回転を支持する代替的な流体源の形式で入って来てもよい。一実施例では、発電ユニットによって発生する電力をバッテリ又は１列のバッテリに貯蔵し、バッテリと接続されるローカル又は遠くのモータに電力を供給するよう使用する。同様に、一実施例では、発生した電気エネルギを発電ユニットから入力電源を要する外部のモータ又は装置、又は外部のエネルギ消費者又は消費機器にエネルギを与える電力網に直接伝えてもよい。さらに、動力装置の垂直部材及び水平アームは、ここで開示した角度に制限すべきではない。むしろ、それらは発電ユニットを回転させて流体流れを生成し流体流れを電気エネルギに変換し得る角度でよい。したがって、本発明の保護範囲は、単に特許請求の範囲及びそれに相当するもののみによって制限される。
【図１】
2010525217.tif 000003
【図２】
2010525217.tif 000004
【図３】
2010525217.tif 000005
【図４】
2010525217.tif 000006
【図５】
2010525217.tif 000007
【図６】
2010525217.tif 000008
【図７】
2010525217.tif 000009
【図８】
2010525217.tif 000010
【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
近位端及び遠位端を有する垂直支持部材であって、前記近位端が平らな架台に固定された垂直支持部材と；
近位端及び遠位端を有する回転部品であって、前記回転部品の前記近位端が前記垂直支持部材の前記遠位端に取り付けられており、前記回転部品が前記垂直支持部材の軸を中心として回転するよう構成された回転部品と；
遠位端及び前記回転部品に接続される近位端を有する結合部品であって、前記遠位端が、流体流れにさらされることで電気エネルギを発生するよう構成された流体応答発電機ユニットに接続される結合部品と；
前記発電機ユニットに加えられ、モータに接続されて前記回転部品の回転運動を開始及び保持する外部のエネルギと；
最初の前記回転運動によって生成される流体流れとを具え、
を具えた装置において、
前記発電機ユニットが、前記生成される流体流れに前記発電機ユニットをさらすことによって電気エネルギを発生させることを特徴とする装置。
【請求項２】
前記発生した電気エネルギが、前記結合部品を通して電気エネルギ貯蔵装置に送られることを特徴とする請求項１に記載の装置。
【請求項３】
さらに、少なくとも１つの発電ユニットを保持する部材を具えており、
前記部材が、前記結合部品及びそれぞれの前記発電ユニットに機械的及び電気的に接続されていることを特徴とする請求項１に記載の装置。
【請求項４】
さらに、前記結合部品の長さを制御するための調整機構を具えていることを特徴とする請求項３に記載の装置。
【請求項５】
前記結合部品が、電気移送機構であることを特徴とする請求項１に記載の装置。
【請求項６】
近位端及び遠位端を有する第１の垂直支持部材であって、前記近位端が平らな架台に固定され、静止させるための第１の垂直支持部材と；
近位端及び遠位端を有する第２の垂直支持部材であって、前記近位端が前記第１の垂直支持部材の前記遠位端に接続される第２の垂直支持部材と；
近位端及び遠位端を有する回転部品であって、前記回転部品の前記近位端が前記第２の垂直支持部材に取り付けられており、前記回転部品が前記第２の垂直支持部材の軸を中心として回転するよう構成された回転部品と；
前記回転部品の回転とともにその垂直軸を中心として回転する前記第２の垂直支持部材と；
流体応答発電機ユニットを保持する第１の部材であって、前記部材が前記回転部品の遠位端に取り付けられた第１の部材と；を具えており、
前記流体応答発電機にさらすのに応答して、前記発電機が前記流体流れをエネルギに変換することを特徴とする装置。
【請求項７】
さらに、別の場所に伝送される前記エネルギを具えており、
前記別の場所が、電力貯蔵ユニット、電力網、又は電気エネルギ消費構成要素であることを特徴とする請求項６に記載の装置。
【請求項８】
さらに、前記回転部品の内側部分に前記回転部品の前記遠位端から前記回転部品の前記近位端に延びる開口部を具えており、
前記内側部分が、前記発電機ユニットに関する電気エネルギを伝送するための前記電気結合部品を受容することを特徴とする請求項６に記載の装置。
【請求項９】
さらに、近位端及び遠位端を有する第２の支持を具えており、
前記第２の支持の前記近位端が、前記第２の垂直支持部材の前記遠位端に結合されており、
前記第２の支持の前記遠位端が、前記回転部品の前記遠位端に結合されていることを特徴とする請求項６に記載の装置。
【請求項１０】
さらに、前記第２の支持の内側部分に前記近位端から前記遠位端に延びる開口部を具えており、
前記開口部が、前記第１の筐体及び電力貯蔵装置間で電気エネルギを伝えるための電気結合部品を受容するよう構成されていることを特徴とする請求項９に記載の装置。
【請求項１１】
さらに、第２の発電機ユニットに隣接して取り付けられた発電機ユニットを具えており、
前記発電機ユニットが、第１の回転方向に回転する回転部品を有しており、
前記第２の発電機ユニットが、第２の回転方向に回転する第２の回転部品を有していることを特徴とする請求項６に記載の装置。
【請求項１２】
さらに、近位端及び遠位端を有する第３の垂直支持部材を具えており、
前記近位端が前記第２の垂直支持部材の前記遠位端に接続され、前記遠位端が第４の垂直支持部材の近位端に接続され、第２の回転部品が近位端及び遠位端を有しており、前記回転部品の前記近位端が前記第４の垂直支持部材に取り付けられており、前記第２の回転部品が前記第４の垂直支持部材の軸を中心として回転するよう構成され、第２の部材が第３の発電機ユニットを保持し、電気エネルギが、前記第３の発電機ユニットを前記流体流れにさらすことによって発生することを特徴とする請求項６に記載の装置。
【請求項１３】
さらに、第４の垂直支持部材及び第３の垂直支持部材間に配置され、前記第４の垂直支持部材の回転から前記第３の垂直支持部材に電力を伝える第２の電気移送機構と、
前記第１及び第２の垂直支持部材間に配置され、前記第２の垂直支持部材の前記回転から前記第１の垂直支持部材に電力を伝える第１の電気移送機構と、
を具えていることを特徴とする請求項１２に記載の装置。
【請求項１４】
さらに、前記回転部品の回転運動を与えるモータに接続され、前記流体応答発電機ユニットのためのさらなる流体流れを生成する外部エネルギを具えていることを特徴とする請求項６に記載の装置。
【国際調査報告】
2010525217.tif 000011
2010525217.tif 000012